(57)【要約】【課題】ユーザーによる簡易な操作によって、印刷ジョブに関する所望の動作を実行すること。【解決手段】画像形成装置は、印刷ジョブの内容を示す印刷ジョブ画像が形成された用紙から、印刷ジョブ画像を読み取る画像読取部と、印刷ジョブに関連する複数の動作のうち、画像読取部において読み取られた印刷ジョブ画像の向きに対応付けられた動作の実行を制御する制御部と、を具備する。【選択図】図１
2020010279.tif 000002
【特許請求の範囲】
【請求項１】
印刷ジョブの内容を示す印刷ジョブ画像が形成された用紙から、前記印刷ジョブ画像を読み取る画像読取部と、
前記印刷ジョブに関連する複数の動作のうち、前記画像読取部において読み取られた前記印刷ジョブ画像の向きに対応付けられた動作の実行を制御する制御部と、
を備える画像形成装置。
【請求項２】
前記制御部は、前記印刷ジョブ画像の向きと前記印刷ジョブに関連する動作との対応付けを変更する、
請求項１に記載の画像形成装置。
【請求項３】
前記制御部は、ユーザーの指示に従って、前記対応付けを変更する、
請求項２に記載の画像形成装置。
【請求項４】
前記用紙には、画像形成動作を調整するための調整用画像が形成され、
前記制御部は、前記画像読取部において読み取られた前記印刷ジョブ画像の向きに対応付けられた動作が画像形成動作を調整する動作である場合、前記調整用画像を用いて、前記画像形成装置の画像形成動作を調整する制御を行う、
請求項１から３の何れかに記載の画像形成装置。
【請求項５】
前記用紙には、前記印刷ジョブに含まれる印刷データのサムネイル画像が形成されている、
請求項１から４の何れかに記載の画像形成装置。
【請求項６】
印刷ジョブの内容を示す印刷ジョブ画像が形成された用紙から、前記印刷ジョブ画像を読み取り、
前記印刷ジョブに関連する複数の動作のうち、前記読み取られた前記印刷ジョブ画像の向きに対応付けられた動作の実行を制御する、
画像形成方法。
【発明の詳細な説明】
【技術分野】
【０００１】
本発明は、画像形成装置および画像形成方法に関する。
【背景技術】
【０００２】
電子写真プロセス技術を利用した画像形成装置（プリンター、複写機、ファクシミリ等）において、ユーザーが複数の印刷ジョブ（又は、プリントジョブと呼ぶ）を登録し、登録された印刷ジョブの中から、所望の印刷ジョブを選択して実行するサービス（例えば、オンデマンド印刷サービス）がある。
【０００３】
オンデマンド印刷サービスでは、例えば、印刷ジョブの登録時に、画像形成装置は、ユーザーが印刷ジョブを登録した後、当該印刷ジョブを実行し、試し刷り用の印刷物を生成する。ユーザーによって試し刷りされた印刷物が確認され、画質調整が必要である場合、画像形成装置は、例えば、ユーザーの操作に応じて印刷ジョブに対する画質調整（校正）を行う。また、印刷ジョブの実行時（本刷り時）において、画像形成装置は、登録されている複数の印刷ジョブの中から、ユーザーの所望の印刷ジョブを検索し、必要に応じて印刷ジョブの内容を再編集（例えば、部数の変更等）し、再編集後の印刷ジョブを実行する。
【０００４】
特許文献１には、印刷ジョブを登録時に、例えば、印刷ジョブに含まれる印刷データを特定するための画像（例えば、ＱＲコード（登録商標））を用紙に印刷する技術が開示されている。画像形成装置は、印刷ジョブを実行する際に、用紙に印刷されたＱＲコードを読み取ることにより、印刷データの保存場所を特定し、当該印刷データを印刷できる。
【先行技術文献】
【特許文献】
【０００５】
【特許文献１】特開２０１１−５６７５２号公報
【発明の概要】
【発明が解決しようとする課題】
【０００６】
しかしながら、特許文献１に記載の技術では、画像形成装置は、ＱＲコードの読取動作によって、読み取ったＱＲコードに対応する印刷ジョブを実行できるものの、印刷ジョブの実行以外の動作（例えば、画質調整、又は、印刷ジョブの再編集等）を実行できない。印刷ジョブの実行以外の動作が必要である場合、ユーザーは、画像形成装置に対して別途操作する必要がある。
【０００７】
本発明は、ユーザーによる簡易な操作によって、印刷ジョブに関する所望の動作を実行できる画像形成装置および画像形成方法を提供することを目的とする。
【課題を解決するための手段】
【０００８】
本発明の一態様に係る画像形成装置は、
印刷ジョブの内容を示す印刷ジョブ画像が形成された用紙から、前記印刷ジョブ画像を読み取る画像読取部と、
前記印刷ジョブに関連する複数の動作のうち、前記画像読取部において読み取られた前記印刷ジョブ画像の向きに対応付けられた動作の実行を制御する制御部と、
を具備する。
【０００９】
本発明の一態様に係る画像形成方法は、
印刷ジョブの内容を示す印刷ジョブ画像が形成された用紙から、前記印刷ジョブ画像を読み取り、
前記印刷ジョブに関連する複数の動作のうち、前記読み取られた前記印刷ジョブ画像の向きに対応付けられた動作の実行を制御する。
【発明の効果】
【００１０】
本発明によれば、ユーザーによる簡易な操作によって、印刷ジョブに関する所望の動作を実行できる。
【図面の簡単な説明】
【００１１】
【図１】一実施の形態に係る画像形成装置の制御系の主要部を示す図である。
【図２】一実施の形態に係る画像形成装置のジョブ予約シートの印刷処理の一例を示すフローチャートである。
【図３Ａ】一実施の形態に係るジョブ予約シートの一方の面の一例を示す図である。
【図３Ｂ】一実施の形態に係るジョブ予約シートの他方の面の一例を示す図である。
【図４】一実施の形態に係る画像形成装置の印刷動作の一例を示すフローチャートである。
【発明を実施するための形態】
【００１２】
以下、各実施の形態を図面に基づいて詳細に説明する。
【００１３】
［画像形成装置の構成］
図１は、本実施の形態に係る画像形成装置１の制御系の主要部を示す。例えば、図１に示す画像形成装置１は、電子写真プロセス技術を利用したカラー画像形成装置である。
【００１４】
例えば、画像形成装置１は、感光体ドラム（図示せず）上に形成されたＹ（イエロー）、Ｍ（マゼンタ）、Ｃ（シアン）、Ｋ（ブラック）の各色トナー画像を中間転写ベルト（図示せず）（像担持体）に一次転写し、中間転写ベルト上で４色のトナー画像を重ね合わせた後、用紙（記録媒体）に二次転写することにより、画像を形成する。なお、画像形成装置１は、単色の画像（例えばモノクロ画像）を形成する画像装置であってもよい。また、画像形成装置１には、給紙装置又は後処理装置等が接続されてもよい。
【００１５】
図１に示すように、画像形成装置１は、画像読取部１０、操作表示部２０、画像処理部３０、画像形成部４０、通信部５０、記憶部６０、コード判別部７０、および制御部１００を備える。
【００１６】
制御部１００は、ＣＰＵ（Central Processing Unit）１０１、ＲＯＭ（Read Only Memory）１０２、およびＲＡＭ（Random Access Memory）１０３等を備える。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部６０に格納されている各種データが参照される。記憶部６０は、例えば不揮発性の半導体メモリ（いわゆるフラッシュメモリ）またはハードディスクドライブで構成される。
【００１７】
制御部１００は、通信部５０を介して、ＬＡＮ（Local Area Network）、またはＷＡＮ（Wide Area Network）等の通信ネットワークに接続された外部の装置（例えばパーソナルコンピューターまたはプリントサーバー）との間で各種データの送受信を行う。通信部５０は、例えばＬＡＮカード等の通信制御カードで構成されてよい。
【００１８】
制御部１００は、例えば、外部の装置から送信された印刷ジョブを受信し、記憶部６０に格納（換言すると、登録又は予約）する。そして、制御部１００は、例えば、記憶部６０に格納されている印刷ジョブの中からユーザーが選択した印刷ジョブに基づいて、画像形成部４０に対して用紙に画像を形成させる。または、制御部１００は、例えば、画像読取部１０において、印刷ジョブの内容を示す印刷ジョブ画像（例えば、ＱＲコード等のコード画像）が読み取られた場合、読み取られた印刷ジョブ画像に対応する印刷ジョブに基づいて、印刷データの印刷を制御する。
【００１９】
印刷ジョブは、例えば、印刷データ、及び、当該印刷データの印刷に関する設定情報（印刷設定情報）を含む。印刷ジョブは、記憶部６０に限らず、画像形成装置１以外の他の記憶装置（例えば、プリントサーバー。図示せず）に格納されてもよい。
【００２０】
画像読取部１０は、例えば、ＡＤＦ（Auto Document Feeder）と称される自動原稿給紙装置または原稿画像走査装置（スキャナー）等を備えて構成される。例えば、画像読取部１０は、原稿トレイに載置された原稿から画像データ（両面を含む）を光学的に読み取る。画像読取部１０は、読取結果に基づいて入力画像データを生成する。この入力画像データには、画像処理部３０において所定の画像処理が施される。
【００２１】
操作表示部２０は、例えばタッチパネル付の液晶ディスプレイ（ＬＣＤ：Liquid Crystal Display）で構成され、表示部および操作部として機能する。例えば、操作表示部２０は、制御部１００から入力される表示制御信号に従って、各種操作画面、画像の状態表示、各機能の動作状況等の表示を行う。また、操作表示部２０は、テンキー、スタートキー等の各種操作キーを備え、ユーザーによる各種入力操作を受け付けて、操作信号を制御部１００に出力する。
【００２２】
画像処理部３０は、入力画像データに対して、初期設定又はユーザー設定に応じたデジタル画像処理を行う回路等を備える。例えば、画像処理部３０は、制御部１００の制御下で、階調補正データ（階調補正テーブル）に基づいて階調補正を行う。また、画像処理部３０は、入力画像データに対して、階調補正の他、色補正、シェーディング補正等の各種補正処理又は圧縮処理等を施す。これらの処理が施された画像データに基づいて、画像形成部４０が制御される。
【００２３】
また、画像処理部３０は、記憶部６０に格納される印刷ジョブの内容を示す印刷ジョブ画像を生成する。例えば、印刷ジョブ画像は、印刷データの保存場所を示す情報、及び、印刷設定情報を特定可能な画像である。印刷ジョブ画像は、例えば、文字、数字などの情報を変換して得られる画像である。例えば、印刷ジョブ画像は、ＱＲコード等の２次元方向に情報を有する画像でもよく、バーコード等の１次元方向に情報を有する画像でもよい。また、印刷ジョブ画像は、当該印刷ジョブ画像を読み取る方向の各々に、印刷ジョブに関連する複数の動作がそれぞれ対応付けられた画像でもよい（詳細は後述する）。
【００２４】
また、画像処理部３０は、印刷ジョブ画像の他に、印刷ジョブ又は画像形成装置１に関する画像を生成してもよい。例えば、画像処理部３０は、画像形成装置１における画像形成動作を調整するための画像（以下、調整用画像と呼ぶ）を生成してもよい。調整用画像は、例えば、画像形成装置１におけるムラ等の画質又は濃度を調整するためのチャートパターンでもよく、用紙における表裏の見当合わせに用いるトンボでもよい。
【００２５】
また、画像処理部３０は、印刷ジョブに含まれる印刷データのうちの少なくとも一部（例えば、先頭ページ）のサムネイル画像を生成してもよい。
【００２６】
また、画像処理部３０は、記憶部６０に格納される印刷ジョブの各々に対して生成した画像を合成して、印刷ジョブを示す画像データを生成する。印刷ジョブを示す画像データは、例えば、画像形成部４０によって用紙に形成される。以下、印刷ジョブを示す画像データ（例えば、印刷ジョブ画像を含む）が形成された用紙を「ジョブ予約シート」と呼ぶこともある。
【００２７】
画像形成部４０は、画像読取部１０から読み込んだ画像データ、または、通信部５０を介して受け取った画像データに基づいて、指定された用紙に画像を形成する。例えば、画像形成部４０は、制御部１００において決定されたトナーを用いて、画像データに含まれる各画像を用紙に形成する。
【００２８】
コード判別部７０は、画像読取部１０においてジョブ予約シートが読み込まれた後、当該ジョブ予約シートに印刷された印刷ジョブ画像に対応する印刷ジョブを判別する。例えば、コード判別部７０は、印刷ジョブ画像に対応する印刷ジョブに含まれる、印刷データ及び印刷設定情報を特定する。制御部１００は、コード判別部７０において特定された印刷設定情報に基づいて、コード判別部７０において特定された印刷データの印刷動作を制御する。
【００２９】
また、コード判別部７０は、印刷ジョブに関連する複数の動作のうち、画像読取部１０において読み取られる印刷ジョブ画像の向き（換言すると、ジョブ予約シートの読取方向）に対応付けられた動作を特定する。すなわち、制御部１００は、画像読取部１０において読み取られる印刷ジョブ画像の向きに対応付けられた動作の実行を制御する。
【００３０】
印刷ジョブに関連する動作には、例えば、印刷ジョブを実行（本刷り）する「ジョブ実行」、画像形成装置１における画像形成動作（例えば、画質調整）の調整を行う「画質調整動作」、印刷ジョブの再編集を行う「ジョブの再編集動作」、又は、印刷ジョブに含まれる印刷データのサムネイル画像を印刷する「サムネイル印刷動作」等が挙げられる。なお、印刷動作は、これらの動作に限定されず、他の動作でもよい。
【００３１】
［画像形成装置１の動作］
次に、上述した画像形成装置１の動作例について説明する。
【００３２】
＜ジョブ予約シートの印刷処理＞
まず、図１に示す画像形成装置１におけるジョブ予約シートの印刷処理について説明する。
【００３３】
図２は、画像形成装置１におけるジョブ予約シートの印刷処理の動作例を示すフローチャートである。
【００３４】
図２において、制御部１００は、印刷ジョブ（例えば、印刷データ及び印刷設定情報を含む）を取得する（Ｓ１０１）。印刷ジョブは、例えば、通信部５０を介して外部装置（例えば、パーソナルコンピューター）から画像形成装置１へ送信されてもよく、操作表示部２０でのユーザーの操作によって画像形成装置１へ入力されてもよい。
【００３５】
制御部１００は、取得した印刷ジョブを示す情報を記憶部６０に格納する（Ｓ１０２）。
【００３６】
画像処理部３０は、取得した印刷ジョブを特定するための印刷ジョブ画像（例えば、ＱＲコード）を生成する（Ｓ１０３）。
【００３７】
画像処理部３０は、画像形成装置１の画像形成動作を調整するための調整用画像を生成する（Ｓ１０４）。調整用画像は、例えば、チャートパターン及びトンボの少なくとも一方でもよく、他の画像でもよい。なお、図２のＳ１０４の処理では、画像処理部３０が調整用画像を生成する場合について示しているが、画像処理部３０は、調整用画像に限らず、印刷ジョブに関する画像又は画像形成装置１に関する画像を生成してもよい。
【００３８】
画像処理部３０は、Ｓ１０３において生成した印刷ジョブ画像及びＳ１０４の処理において生成した画像を合成する（Ｓ１０５）。
【００３９】
画像形成部４０は、制御部１００の制御の下、画像処理部３０において生成された画像データを用紙に形成して、ジョブ予約シートを生成する（Ｓ１０６）。
【００４０】
図３Ａ及び図３Ｂは、ジョブ予約シートの一例を示す。図３Ａは、ジョブ予約シートの一方の面２００ａの一例を示し、図３Ｂは、ジョブ予約シートの他方の面２００ｂの一例を示す。
【００４１】
図３Ａに示す面２００ａには、印刷ジョブ画像（ここでは、ＱＲコード）２０１、チャートパターン２０２、トンボ２０３ａ〜２０３ｅ、画像２０４、画像２０５ａ〜ｄ、およびサムネイル画像２０６が含まれる。また、図３Ｂに示す面２００ｂには、トンボ２０３ｆ〜２０３ｊが含まれる。
【００４２】
なお、ジョブ予約シートに形成される画像は、図３Ａ及び図３Ｂに示す画像に限定されない。また、ジョブ予約シートに形成される画像の配置は、図３Ａ及び図３Ｂに示す配置に限定されない。例えば、面２００ａに形成された画像の一部は、面２００ｂに形成されてもよい。
【００４３】
例えば、画像形成装置１は、図３Ａに示すジョブ予約シートから、印刷ジョブ画像２０１を読み取ることにより、当該印刷ジョブ画像２０１に対応する印刷ジョブ（すなわち、印刷データ及び印刷設定情報）を特定できる。
【００４４】
また、チャートパターン２０２は、画像形成装置１において、例えば、Ｙ（イエロー）、Ｍ（マゼンタ）、Ｃ（シアン）、Ｋ（ブラック）の各色のムラ等の画質または濃度を調整するための調整用画像である。画像形成装置１は、図３Ａに示すジョブ予約シートから、チャートパターン２０２を読み取ることにより、チャートパターン２０２に示されるジョブ予約シート印刷時の画像形成装置１の状態と、画像形成装置１の現在の状態との差異を特定できる。
【００４５】
例えば、画像形成装置１は、チャートパターン２０２を読み取った後、チャートパターン２０２と同様のチャートパターンを用紙又は中間転写ベルト（図示せず）に形成する。そして、画像形成装置１は、ジョブ予約シートから読み取ったチャートパターン、及び、用紙又は中間転写ベルトに形成したチャートパターンにおける各色の濃度等をセンサー（図示せず）によってそれぞれ測定する。そして、画像形成装置１は、ジョブ予約シートから読み取ったチャートパターンの測定値（換言すると、ジョブ予約シートを生成した時点の画像形成装置１の状態）と、用紙又は中間転写ベルトに形成したチャートパターンの測定値（換言すると、現時点の画像形成装置１の状態）と、を比較する。これにより、画像形成装置１は、ジョブ予約時と現時点との間における画像形成装置１の状態の差異を特定できる。
【００４６】
画像形成装置１は、例えば、画像形成装置１の状態の差異に基づいて、画質調整を行ってもよく、画質調整の要否を判断してもよい。また、ユーザーは、ジョブ予約シートに形成されたチャートパターン２０２を確認することにより、画像形成装置１に対して画質調整をさせるか否かを判断してもよい。
【００４７】
また、図３Ａに示すトンボ２０３ａ〜２０３ｅ及び図３Ｂに示すトンボ２０３ｆ〜２０３ｊは、画像形成装置１において、用紙の表裏の見当合わせ（換言すると、表裏調整）を行うための調整用画像である。
【００４８】
例えば、図３Ａに示す面２００ａ上に形成されたトンボ２０３ａ〜２０３ｅと、図３Ｂに示す面２００ｂ上に形成されたトンボ２０３ｆ〜２０３ｊとは、用紙を透かして見た場合に一致するような位置に設定されている。例えば、画像形成装置１は、読み取ったジョブ予約シートにおいて、図３Ａに示す面２００ａ上に形成されたトンボ２０３ａ〜２０３ｅの位置と、図３Ｂに示す面２００ｂ上に形成されたトンボ２０３ｆ〜２０３ｊの位置との間のずれを算出し、算出したずれに応じて、両面印刷時における表面及び裏面の少なくとも一方の印刷領域を調整する。これにより、画像形成装置１は、用紙の表裏における適切な位置に画像をそれぞれ形成できる。
【００４９】
画像２０４は、例えば、ユーザーが画像形成装置１にジョブ予約シートを読み取った後に実行する内容（詳細は後述する）をユーザーに提示するための画像を示す。
【００５０】
画像２０５は、印刷ジョブ画像２０１の向き（換言すると、ジョブ予約シートの読取方向）毎に対応付けられている印刷ジョブに関連する動作の内容（詳細は後述する）をユーザーに提示するための画像を示す。
【００５１】
画像２０６は、印刷ジョブに含まれる印刷データのサムネイル画像である。例えば、画像２０６は、画像データの先頭ページの画像でもよく、特定のページの画像（例えば、ユーザーが指定した画像）でもよい。また、画像２０６には、印刷ジョブに対応するファイル名（例えば、印刷データのファイル名）が含まれてもよい。ユーザーは、画像２０６を確認することにより、画像形成装置１に登録されている複数の印刷ジョブの中から、所望の印刷ジョブを区別できる。
【００５２】
図３Ａに示すように、画像形成装置１におけるジョブ予約シートの読取方向と、ジョブ予約シートが画像形成装置１に読み取られた後の印刷ジョブに関連する動作とが対応付けられている。換言すると、印刷ジョブ画像２０１の向き（または角度）と、ジョブ予約シートが画像形成装置１に読み取られた後の印刷ジョブに関連する動作とが対応付けられている。
【００５３】
ここでは、例えば、ジョブ予約シートの読取方向が、図３Ａに示す画像２０５ｃに示す辺を先頭にした方向Ｃである場合の印刷ジョブ画像２０１の向きを「０度」とする。また、ジョブ予約シートの読取方向が、図３Ａに示す画像２０５ａに示す辺を先頭にした方向Ａである場合の印刷ジョブ画像２０１の向きを「９０度」とする。同様に、ジョブ予約シートの読取方向が、図３Ａに示す画像２０５ｄに示す辺を先頭にした方向Ｄである場合の印刷ジョブ画像２０１の向きを「１８０度」とする。同様に、ジョブ予約シートの読取方向が、図３Ａに示す画像２０５ｂに示す辺を先頭にした方向Ｂである場合の印刷ジョブ画像２０１の向きを「２７０度」とする。
【００５４】
画像形成装置１は、例えば、読み取った印刷ジョブ画像２０１がどの向き（０度、９０度、１８０度又は２７０度の何れか）であるかに応じて、ジョブ予約シートの読取方向（方向Ａ、方向Ｂ、方向Ｃ又は方向Ｄの何れか）を識別し、印刷ジョブ画像２０１の向き（換言すると、ジョブ予約シートの読取方向）に応じて、印刷データに対する動作を切り替える。
【００５５】
例えば、図３Ａでは、印刷ジョブ画像２０１の向き「９０度」（方向Ａ）に対して、画像形成装置１が印刷ジョブを実行する動作（「ジョブ実行（本刷り）」）が対応付けられている。
【００５６】
また、図３Ａでは、印刷ジョブ画像２０１の向き「２７０度」（方向Ｂ）に対して、画像形成装置１が印刷ジョブの全ページのサムネイルを印刷する動作（「全ページ表示＋サムネイル印刷」）が対応付けられている。
【００５７】
また、図３Ａでは、印刷ジョブ画像２０１の向き「０度」（方向Ｃ）に対して、画像形成装置１が印刷データの画質調整（すなわち、画像形成動作の調整）を行う動作（「簡易画質調整」）が対応付けられている。
【００５８】
また、図３Ａでは、印刷ジョブ画像２０１の向き「１８０度」（方向Ｄ）に対して、画像形成装置１が印刷ジョブの再編集モードに移行する動作（「ジョブ再編集」）が対応付けられている。
【００５９】
＜ジョブ予約シートの読取処理＞
次に、図１に示す画像形成装置１におけるジョブ予約シートの読取処理について説明する。
【００６０】
図４は、画像形成装置１におけるジョブ予約シートの読取の動作例を示すフローチャートである。
【００６１】
図４において、画像読取部１０は、ジョブ予約シートに印刷された印刷ジョブ画像２０１を読み取る（Ｓ２０１）。例えば、ユーザーは、画像形成装置１に登録された複数の印刷ジョブにそれぞれ対応するジョブ予約シートの中から、画像２０６（画像データのサムネイル）を確認して、所望の印刷ジョブに対応するジョブ予約シートを選択し、画像読取部１０に読み取らせる。
【００６２】
また、ユーザーは、画像形成装置１に実行させる印刷ジョブに関連する動作に対応する印刷ジョブ画像２０１の向き（上述した０度、９０度、１８０度、又は２７０度の何れか）でジョブ予約シートを画像読取部１０に読み取らせる。
【００６３】
例えば、ユーザーは、画質調整及び印刷ジョブの再編集が不要と判断した場合、画像形成装置１に印刷ジョブを実行させるために、図３Ａに示す方向Ａで画像読取部１０にジョブ予約シートを読み取らせる。また、例えば、ユーザーは、画質調整が必要と判断した場合、画像形成装置１に画質調整モードに移行させるために、図３Ａに示す方向Ｃで画像読取部１０にジョブ予約シートを読み取らせる。また、例えば、ユーザーは、画質調整が必要か否かを判断できない場合、画像形成装置１に画像データのサムネイルを印刷させるために、方向Ｂで画像読取部１０にジョブ予約シートを読み取らせる。また、例えば、ユーザーは、画質調整が不要であり、印刷ジョブの再編集（例えば、印刷部数の変更）が必要と判断した場合、画像形成装置１に印刷ジョブの再編集モードに移行させるために、方向Ｄで画像読取部１０にジョブ予約シートを読み取らせる。
【００６４】
図４において、コード判別部７０は、画像読取部１０において読み取った印刷ジョブ画像２０１（例えば、図３Ａを参照）に基づいて、記憶部６０に格納された印刷ジョブの中から、当該ジョブ予約シートに対応する印刷ジョブを特定する（Ｓ２０２）。
【００６５】
また、コード判別部７０は、画像読取部１０において読み取った印刷ジョブ画像２０１の向き（換言すると、ジョブ予約シートの読取方向）を特定する（Ｓ２０３）。すなわち、コード判別部７０は、画像読取部１０において読み取った印刷ジョブ画像２０１の向きが０度、９０度、１８０度および２７０度の何れであるかを特定する。
【００６６】
そして、制御部１００は、印刷ジョブに関連する複数の動作のうち、読み取った印刷ジョブ画像２０１の向きに対応付けられた動作の実行を制御する。換言すると、制御部１００は、読み取った印刷ジョブ画像２０１の向きに基づいて、印刷ジョブに関連する動作の内容（Ｓ２０４〜Ｓ２０７の何れか）を切り替える。
【００６７】
このように、画像形成装置１は、印刷ジョブ画像２０１に基づいて印刷ジョブを特定するとともに、印刷ジョブ画像２０１の向きに基づいて印刷ジョブに対する動作内容を決定する。
【００６８】
具体的には、印刷ジョブ画像２０１の向きが０度の場合、制御部１００は、画像形成動作として、例えば、画質調整を行う（Ｓ２０４）。画像形成動作の調整項目は、例えば、ガンマ自動調整、カラーレジスト自動調整、トナーリフレッシュ、定着リフレッシュ、帯電清掃、感光体リフレッシュ、及び、表裏調整の少なくとも１つでもよく、他の調整項目でもよい。
【００６９】
制御部１００は、上記調整項目のうち、予め設定された少なくとも１つの調整項目を自動的に実行してもよい。または、制御部１００は、ユーザーが操作表示部２０を介して選択した調整項目を実行してもよい。また、制御部１００は、画像形成動作の調整の際に、ジョブ予約シートに形成されているチャートパターン２０２及びトンボ２０３ａ〜２０３ｊの少なくとも１つを用いてもよい。または、制御部１００は、ジョブ予約シートに形成されているチャートパターン２０２及びトンボ２０３ａ〜２０３ｊの少なくとも１つに基づいて、実行すべき画像形成動作の調整項目を判断して、判断結果に基づいて画像形成動作を調整してもよい。
【００７０】
また、制御部１００は、画像形成動作の調整の完了後に、画像形成部４０に対して、ジョブ予約シートを印刷させてもよい。この処理により、ユーザーは、調整後の画質を確認できる。
【００７１】
図４において、印刷ジョブ画像２０１の向きが９０度の場合、制御部１００は、印刷ジョブを実行する（Ｓ２０５）。例えば、制御部１００は、画像読取部１０において読み取られた印刷ジョブ画像２０１に対応する印刷ジョブに含まれる印刷設定情報に基づいて、画像読取部１０において読み取られた印刷ジョブ画像２０１に対応する印刷ジョブに含まれる印刷データの印刷を画像形成部４０に指示する。
【００７２】
印刷ジョブ画像２０１の向きが１８０度の場合、制御部１００は、ジョブ編集モードに移行する（Ｓ２０６）。ジョブ編集モードに移行すると、ユーザーは、例えば、操作表示部２０に表示される印刷設定情報を確認し、変更が必要な項目（例えば、印刷部数）の編集を行うことができる。
【００７３】
印刷ジョブ画像２０１の向きが２７０度の場合、制御部１００は、印刷ジョブに含まれる印刷データのサムネイル画像の印刷を実行する（Ｓ２０７）。画像形成装置１は、例えば、本刷りと同じ用紙を用いてサムネイル印刷を実行してもよい。これにより、ユーザーは、例えば、ジョブ予約シートに形成された各色のチャートパターンでは把握しにくい色味などを、サムネイル画像において目視確認でき、画像調整すべきか否かを判断しやすくなる。例えば、ユーザーは、サムネイル画像が印刷された用紙を確認して、画像調整すべきと判断した場合、０度の向きの印刷ジョブ画像２０１を画像読取部１０に読み取らせ、画像調整（Ｓ２０４の処理）を実行させてもよい。
【００７４】
以上、画像形成装置１の動作例について説明した。
【００７５】
［効果］
このように、本実施の形態では、画像形成装置１において、画像読取部１０は、印刷ジョブの内容を示す印刷ジョブ画像２０１が形成された用紙（ジョブ予約シート）から、印刷ジョブ画像２０１を読み取る。また、制御部１００は、印刷ジョブに関連する複数の動作のうち、画像読取部１０において読み取られた印刷ジョブ画像２０１の向きに対応付けられた動作の実行を制御する。
【００７６】
これにより、本実施の形態では、画像形成装置１は、ジョブ予約シートの読み取りの向きに応じて、印刷ジョブに関連する動作を決定できる。よって、ユーザーは、画像形成装置１に対して、印刷ジョブに関する所望の動作に対応付けられた向きでジョブ予約シートの読み取りを実行させる簡易な操作によって、所望の動作を画像形成装置１に指示できる。
【００７７】
よって、本実施の形態によれば、画像形成装置１は、ユーザーによる簡易な操作によって、印刷ジョブに関する所望の動作を実行できる。
【００７８】
これにより、例えば、ユーザーは、ユーザーの習熟度に依らず、画像形成装置１に対する簡易な操作により、印刷ジョブの登録、画質調整、及び、印刷ジョブの実行までの一連の印刷作業に対応できる。よって、習熟度の高いユーザーに作業が集中することを防ぎ、複数のユーザーに対して印刷作業を分担できる。
【００７９】
また、例えば、ユーザーによる印刷ジョブの登録を受け付ける画像形成装置Ａ（換言すると、ジョブ予約シートを印刷する画像形成装置１）と、当該印刷ジョブを実行する画像形成装置Ｂとが異なることが想定される。この場合でも、ユーザーによる、ジョブ予約シートを画像形成装置Ｂに読み取らせる簡易な操作によって、画像形成装置Ｂは、画像形成装置Ａにおいて登録された印刷設定に基づいて、印刷データに対して印刷の制御を適切に行うことができる。
【００８０】
また、本実施の形態では、画像形成装置１は、画像読取部１０において読み取られる印刷ジョブ画像２０１の向きに対応付けられた印刷ジョブに関連する動作を実行する。これにより、ユーザーは、例えば、１枚のジョブ予約シートの向きを考慮して画像形成装置１に読み取らせる簡易な操作によって、画像形成装置１に対して、印刷ジョブに関連する複数の動作を指示できる。
【００８１】
また、本実施の形態では、ジョブ予約シートには、画像形成装置１の画像形成動作を調整するための調整用画像（例えば、チャートパターン２０２又はトンボ２０３）が形成されている。これにより、画像形成装置１は、読み取った調整用画像に基づいて、画質調整等の画像形成動作の調整を自動的に行うことができる。
【００８２】
例えば、画像形成装置１に印刷ジョブが登録されてからの時間経過によって、画像形成装置１における画像形成条件が異なることが想定される。この場合、画像形成装置１は、ジョブ予約シートに形成された調整用画像（換言すると、ジョブ予約シートの生成時の状態を示す画像）を用いて、画像形成装置１の経時変化を特定し、画像形成動作を調整できる。よって、本実施の形態によれば、画像形成装置１は、ユーザーの習熟度に依らず、画像形成装置１の経時変化に応じて画質調整等の画像形成動作を適切に調整できる。
【００８３】
また、例えば、ユーザーによる印刷ジョブの登録を受け付ける画像形成装置Ａ（換言すると、ジョブ予約シートを生成する画像形成装置１）と、当該印刷ジョブを実行する画像形成装置Ｂとが異なることが想定される。この場合、画像形成装置Ｂは、ジョブ予約シートに形成された調整用画像（換言すると、画像形成装置Ａの状態を示す画像）を用いて、画像形成装置Ａと画像形成装置Ｂとの差異を特定し、画像形成装置Ｂにおける画像形成動作（例えば、印刷データの画質）を調整できる。よって、本実施の形態によれば、画像形成装置１は、ユーザーの習熟度に依らず、異なる画像形成装置１間の差分に応じて画質調整等の画像形成動作を適切に調整できる。
【００８４】
また、本実施の形態では、ジョブ予約シートには、印刷データのうちの少なくとも一部のサムネイル画像（例えば、図３Ａに示す画像２０６）が形成されている。これにより、ユーザーは、登録された複数の印刷ジョブの中から、所望の印刷ジョブを容易に区別できる。例えば、仮に、ユーザーは、膨大な数の印刷ジョブがジョブリストに登録されている場合、ジョブリストから所望の印刷ジョブを探す手間がかかり、また、類似のファイル名が存在する場合、印刷ジョブの選択誤りが発生する恐れもある。これに対して、本実施の形態では、ユーザーは、サムネイル画像によって所望の印刷ジョブを特定できるので、印刷ジョブの選択誤りを防ぐことができる。
【００８５】
なお、図３Ａ及び図３Ｂに示すジョブ予約シートは一例であり、図３Ａ及び図３Ｂに示す構成に限定されない。例えば、ジョブ予約シートには、図３Ａに示す印刷ジョブ画像２０１が含まれればよく、図３Ａ及び図３Ｂに示す少なくとも１つの他の画像が含まれなくてもよい。
【００８６】
また、図３Ａでは、ジョブ予約シートの画像形成装置１への読取方向（４方向）に応じて、画像形成装置１が実行する動作を対応付ける場合について説明した。しかし、画像形成装置１が実行する動作に対応付けられる読取方向は、図３Ａに示す方向に限定されない。例えば、図３Ａに示す読取方向（方向Ａ、方向Ｂ、方向Ｃ及び方向Ｄ）のうち少なくとも１つの方向が、画像形成装置１が実行する動作に対応付けられてもよい。または、図３Ａに示す読取方向に加え、図３Ａに示す面２００ａが表向きに読み取られる場合、及び、裏向きに読み取られる場合に対して、画像形成装置１における異なる動作がそれぞれ対応付けられてもよい。この場合、画像形成装置１は、ジョブ予約シートの読取方向（４方向）と、ジョブ予約シートの表裏とにより、最大８通りの異なる動作を実行できる。
【００８７】
また、画像形成装置１は、ジョブ予約シートに形成される印刷ジョブ画像２０１の向きと、画像形成装置１における印刷ジョブに関連する動作との対応付けを変更してもよい。例えば、画像形成装置１は、ユーザーの指示（操作）に従って、印刷ジョブ画像２０１の向きと、印刷ジョブに関連する動作との対応付けを変更してもよい。これにより、画像形成装置１に登録される印刷ジョブに対して、ユーザーが想定する印刷制御を柔軟に設定できる。または、画像形成装置１は、例えば、印刷ジョブに応じて、印刷ジョブ画像２０１の向きと、印刷ジョブに関連する動作との対応付けを変更してもよい。これにより、画像形成装置１に登録される印刷ジョブに対して、例えば、印刷ジョブの種別に応じて印刷制御を柔軟に設定できる。なお、印刷ジョブ画像２０１の向きと印刷ジョブに関連する動作との対応付けの変更は、ユーザーの指示などに限らず、他の基準に従ってもよい。
【００８８】
また、上記実施の形態では、画像形成装置１の画像読取部１０においてジョブ予約シートを読み取る場合について説明した。しかし、ジョブ予約シートは、画像形成装置１以外の外部の装置において読み取られてもよい。
【００８９】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００９０】
１  画像形成装置
１０  画像読取部
２０  操作表示部
３０  画像処理部
４０  画像形成部
５０  通信部
６０  記憶部
７０  コード判別部
１００  制御部
１０１  ＣＰＵ
１０２  ＲＯＭ
１０３  ＲＡＭ
【図１】
2020010279.tif 000003
【図２】
2020010279.tif 000004
【図３Ａ】
2020010279.tif 000005
【図３Ｂ】
2020010279.tif 000006
【図４】
2020010279.tif 000007